(57)【特許請求の範囲】
【請求項１】
電気機器の筐体に取り付けられるベース部と、このベース部上に設けられるハウジング部と、このハウジング部内に装着されている複数の電気信号伝送端子と、対となる電気コネクタと組み合わされるときに対となる電気コネクタ側の金属シェルに接触する金属シェルとを備えた電気コネクタにおいて、
上記ベース部は、対となる電気コネクタのハウジング部の装着側端面に対向するベース面を含み、
金属シェルは、上記ベース面に沿って配置される環状部分と、環状部分の内周縁からハウジング部の外壁に沿って立ち上がり且つ対となる電気コネクタの金属シェルと接触するための立ち上がり片とを含み、
上記ハウジング部の外壁には、立ち上がり片を当該立ち上がり片が立ち上がる第１の方向に挿脱自在に収容する保持溝が形成されており、
上記立ち上がり片は、当該立ち上がり片の基端部に形成された幅狭部と、当該立ち上がり片の先端部側に形成された幅広部とを有し、
上記外壁に沿って上記第１の方向とは直交する第２の方向に関して、上記幅広部の幅が上記幅狭部の幅よりも広くされており、
上記保持溝は、上記幅広部を収容する第１の部分と、上記幅狭部を収容する第２の部分とを有し、
上記第１の部分では、保持溝の内奥部の幅が保持溝の開口縁部間の幅よりも拡げられており、
上記第２の方向に関して、上記幅広部の幅が、保持溝の上記開口縁部間の幅よりも大きくされ、上記幅狭部の幅が、保持溝の開口縁部間の幅よりも小さくされていることを特徴とする電気コネクタ。
【請求項２】
上記金属シェルは、環状部分から上記ベース部の外周面に沿って垂下される延設部分を含むことを特徴とする請求項１記載の電気コネクタ。
【請求項３】
上記ハウジング部内に電源端子およびアース端子が装着されていることを特徴とする請求項１又は２記載の電気コネクタ。
【請求項４】
トナーを用いて現像する画像形成装置の本体内に配置されていることを特徴とする請求項１ないし３の何れか１項に記載の電気コネクタ。
【発明の詳細な説明】
【０００１】
【発明の属する技術分野】
本発明は対となる電気コネクタと接続されたときに静電気放電を行う電気コネクタに関する。
【０００２】
【従来の技術と発明が解決しようとする課題】
従来、リセプタクル型電気コネクタとプラグ型電気コネクタを接続したときに、各電気コネクタに設けられた金属シェル同士を接続させて静電気放電を行うタイプのものが提供されている（例えば特開平５−１４４５１５号公報参照）。
このようにして連結される電気コネクタは、例えば、塵埃粒子やトナー粒子等の汚染粒子が浮遊している雰囲気中で使用される場合に、これらの粒子を静電吸着し難いので、汚染粒子が電気コネクタのハウジング部内に侵入し難いという点で、ある程度の効果を発揮する。
【０００３】
しかしながら、上記公報のものでは、各電気コネクタのハウジング部の外壁の周面に沿って、金属シェルを設ける構造を採用しているが、このような金属シェルの構造では、汚染粒子の侵入防止を十分に図ることができない。
というのは、一の電気コネクタのハウジング部の装着側端面と、この装着側端面に対向する、他の電気コネクタの部分との間の隙間部分から汚染粒子が侵入してくることが懸念されるからである。
【０００４】
本発明は、上記課題に鑑みてなされたものであり、汚染粒子の侵入を確実に防止することができる電気コネクタを提供することを目的とする。
【０００５】
【課題を解決するための手段】
上記目的を達成するための課題解決手段として、請求項１記載の発明は、電気機器の筐体に取り付けられるベース部と、このベース部上に設けられるハウジング部と、このハウジング部内に装着されている複数の電気信号伝送端子と、対となる電気コネクタと組み合わされるときに対となる電気コネクタ側の金属シェルに接触する金属シェルとを備えた電気コネクタにおいて、上記ベース部は、対となる電気コネクタのハウジング部の装着側端面に対向するベース面を含み、金属シェルは、上記ベース面に沿って配置される環状部分と、環状部分の内周縁からハウジング部の外壁に沿って立ち上がり且つ対となる電気コネクタの金属シェルと接触するための立ち上がり片とを含み、上記ハウジング部の外壁には、立ち上がり片を当該立ち上がり片が立ち上がる第１の方向に挿脱自在に収容する保持溝が形成されており、上記立ち上がり片は、当該立ち上がり片の基端部に形成された幅狭部と、当該立ち上がり片の先端部側に形成された幅広部とを有し、上記外壁に沿って上記第１の方向とは直交する第２の方向に関して、上記幅広部の幅が上記幅狭部の幅よりも広くされており、上記保持溝は、上記幅広部を収容する第１の部分と、上記幅狭部を収容する第２の部分とを有し、上記第１の部分では、保持溝の内奥部の幅が保持溝の開口縁部間の幅よりも拡げられており、上記第２の方向に関して、上記幅広部の幅が、保持溝の上記開口縁部間の幅よりも大きくされ、上記幅狭部の幅が、保持溝の開口縁部間の幅よりも小さくされていることを特徴とするものである。
【０００６】
この場合、対となる電気コネクタのハウジング部の装着側端面に対向するベース面に沿って、金属シェルの環状部分が配置されることになり、ベース面と上記装着側端面との間の隙間からの汚染粒子の侵入を確実に防止することができる。また、金属シェルの組付け時において金属シェルの環状部分を押しながら金属シェルをハウジング部の周囲に嵌め込んでいくことにより、金属シェルを容易に組み付けることができる。
【０００７】
なお、金属シェルはハウジング部の外壁の周面に沿って配置される環状の部分を含んでいても良いが、対となる電気コネクタがハウジング部の外壁の周面に沿って配置される環状の部分を有している場合には、本電気コネクタ側ではハウジング部の外壁に沿う部分として、後述する立ち上がり片を設けるのみでも良い。
また、上記金属シェルは、環状部分の内周縁からハウジング部の外壁に沿って立ち上がり且つ対となる電気コネクタの金属シェルと接触するための立ち上がり片を含み、上記ハウジング部の外壁には、立ち上がり片を当該立ち上がり片が立ち上がる方向に挿脱自在に収容する保持溝が形成されているので、下記の利点がある。すなわち、金属シェルを組み付けるために金属シェルの環状部分をハウジング部の周囲に嵌め込むと、この嵌め込み動作と同時に、金属シェルの立ち上がり片をハウジング部の外壁に沿う保持溝に収容することができる。したがって、金属シェルの組み付けが容易であり、また、組み付け時における立ち上がり片の変形や破損を防止することができる。
請求項２記載の発明は、上記金属シェルは、環状部分から上記ベース部の外周面に沿って垂下される延設部分を含むことを特徴とするものである。この場合、ベース部の外周面にも金属シェルが配置されることになるので、ベース部の外周面に汚染粒子が降り積もらない結果、ベース面と上記装着側端面との間の隙間を通しての汚染粒子の侵入を一層確実に防止することができる。
【０００９】
請求項３記載の発明は、上記ハウジング部内に電源端子およびアース端子が装着されていることを特徴とするものである。この構成では、電源端子、アース端子および電気信号伝送用端子を単一の電気コネクタで一括して保持しシールドすることができるので、これらの端子を別々のコネクタで保持しシールドする場合と比較して、構造を格段に簡素化することができる。
【００１０】
請求項４記載の発明は、トナーを用いて現像する画像形成装置の本体内に配置されていることを特徴とするものである。この構成では、電気コネクタの静電防止が図られているので、画像形成装置の本体内に浮遊するトナーが、電気コネクタに吸着することを防止することができる。
【００１１】
【発明の実施の形態】
本発明の好ましい実施の形態について添付図面を参照しつつ説明する。
図１は本発明の一実施の形態としての電気コネクタが適用される画像形成装置の内部構成を示す概略断面図である。図１を参照して、画像形成装置１００は、原稿載置面１０１に載置される原稿からの反射光を、既に帯電器１０２により帯電されている感光体ドラム１０３に光学ユニット１０４を介して導き、この感光体ドラム１０３に形成された静電潜像を現像装置１０５によってトナー像に顕像化し、このトナー像を、用紙カセット１０６から用紙搬送路１０７を介して送給される記録シート１０８上に転写器１０９を用いて転写し、この記録シート１０８上に転写されたトナー像を定着装置１１０によって定着させる公知の構成のものである。１１１は転写後に感光体ドラム１０３上に残留するトナーを除去するクリーニング装置である。
【００１２】
上記の帯電器１０２、感光体ドラム１０３、現像装置１０５およびクリーニング装置１１１を部分的にカバー１１２で覆ってプロセスカートリッジ１１３を構成している。このプロセスカートリッジ１１３は、画像形成装置本体１１４に固定された装着部１１５に対して、所定の要領で挿入装着され、また、反対に抜き出しできるようになっている。プロセスカートリッジ１１３には、プラグ型電気コネクタ１が固定されており、画像形成装置本体１１４内の装着部１１５にはリセプタクル型電気コネクタ５０が固定されている。両コネクタ１，５０は、プロセスカートリッジ１１３の挿脱に伴って挿脱されるドロアコネクタとして構成されている。
【００１３】
まず、本発明の一実施の形態としてのリセプタクル型の電気コネクタに対して対となるプラグ型電気コネクタの構造について説明する。図２はプラグ型電気コネクタの斜視図であり、図３（ａ）はプラグ型電気コネクタの平面図であり、図３（ｂ）はプラグ型電気コネクタの概略正面図である。これらの図を参照して、プラグ型の電気コネクタ１は、矩形形状のベース部２を有し、このベース部２の左右には、本プラグ型電気コネクタ１を電気機器の筐体（本実施の形態では後述するプロセスカートリッジ１１３に相当）に取り付ける為のねじ等の固定部材を貫通させる貫通孔３が設けられている。
【００１４】
上記ベース部２上の表面の中央部にはハウジング部４が設けられている。このハウジング部４は矩形筒状をしており、その内部にはハウジング部４よりも一回り小さくて高さの低い矩形筒状をなす端子収容部５が設けられている。図３（ａに示すように、この端子収容部５の対向する一対の内壁面５ａ，５ｂのそれぞれに、複数の電気信号伝送用端子６が並んで設けられている。これらの電気信号伝送用端子６は図２に示すリード線群２６に接続されている。
【００１５】
また、図３（ａ）を参照して、ハウジング部４内には、端子収容部５の４つの隅角部のそれぞれの近傍位置に、一対の電源端子２７，２７と一対のアース端子２８，２８が収容されている。一対の電源端子２７，２７は互いに端子収容部５の対角線上で対向する一対の隅角部の近傍位置に配置され、一対のアース端子２８，２８は他対の隅角部の近傍位置に配置されている。各端子２７，２８は、ハウジング部４下部に突出する突出部３１内の個別の保持孔に収容された状態で、上半部をハウジング部４内に露出させている。２９，３０は保持孔内で電源端子２７およびアース端子２８にそれぞれ接続されて保持孔３２から導出されるリード線である。４ａは、このプラグ型電気コネクタ１をリセプタクル型電気コネクタ５０に装着するときにおける、ハウジング４の装着側端面である。
【００１６】
また、上記ハウジング部４の周状の外壁７の外周面７ａに沿ってこれを取り巻くように四角環状の金属シェル８が装着されている。この金属シェル８は、長尺の平板を折り曲げて、一対の継ぎ合わせ部同士をかしめ等により互いに継ぎ合わせ、ハウジング部４の外壁７に沿うような四角環状としたものである。
上記金属シェル８をハウジング部４に装着した時に、この金属シェル８がハウジング部４に保持されるようにする為、この金属シェル８の対向する一対の面にそれぞれ内方へ切り起こされた止め片１１が形成されている。この止め片１１はハウジング部４の外壁７に形成された突起からなる止め片固定部１３に係止されるものである（図１０参照）。
【００１７】
また、金属シェル８の対向する他対の面には、それぞれ折り返されてくの字状を呈する延設片としての接触ビーム１４が形成されており、これら接触ビーム１４は、金属シェル８がハウジング部４の外壁７に装着された状態で、図３（ａ），（ｂ）に示すように、外壁７の内面よりも突出する状態でハウジング部４の内方に配置される。本プラグ型電気コネクタ１がリセプタクル型電気コネクタ５０と嵌め合わせられたときに、これら接触ビーム１４は、自身のばね性により、そのくの字の頂部がリセプタクル型電気コネクタ５０側の後述する金属シェル５８に弾力的に押圧され接触されるようになっている（図７参照）。
【００１８】
金属シェル８は、その先端が上記電気信号伝送用端子６の先端より先に臨んだ形でハウジング部４に取り付けられていると共に、この金属シェル８に対して、外部の雌端子１５に接続できるタブ端子１６が、金属シェル８と別体に設けられて、保持部１７に保持されると共に、金属シェル８のベース部２側の縁部（下縁部）に嵌め込み接続されている。
【００１９】
次いで、図４は本発明の一実施の形態としてのリセプタクル型電気コネクタ５０の斜視図であり、図５はその分解斜視図である。また、図６（ａ）はリセプタクル型電気コネクタ５０の平面図であり、図６（ｂ）はリセプタクル型電気コネクタの一部破断正面図である。これらの図を参照して、本リセプタクル型電気コネクタ５０は、矩形形状のベース部５２を有し、このベース部５２の左右には、本リセプタクル型電気コネクタ５０を電気機器の筐体（本実施の形態では前述した装着部１１５に相当）に取り付ける為のねじ等の固定部材を貫通させる貫通孔５３が設けられている。
【００２０】
上記ベース部５２上の表面（以下、ベース面５２ａという）の中央部にはハウジング部５４が設けられている。このハウジング部５４は矩形筒状をしており、その内部には矩形板状をなし且つその両側面に複数の端子保持溝を並設した端子収容部５５が設けられている。図６（ａ）に示すように、この端子収容部５５の対向する一対の外側面５５ａ，５５ｂのそれぞれに、複数の電気信号伝送用端子５６が並んで設けられている。これらの電気信号伝送用端子５６は図４に示すリード線群６６に接続されている。
【００２１】
また、図６（ａ）を参照して、ハウジング部４内には、端子収容部５の４つの隅角部のそれぞれの近傍位置に、一対のアース端子６７，６７と一対の電源端子６８，６８が収容されている。一対のアース端子６７，６７は互いに端子収容部５５の対角線上で対向する一対の隅角部の近傍位置に配置され、一対の電源端子６８，６８は他対の隅角部の近傍位置に配置されている。各端子６７，６８は、ハウジング部５４下部に突出する突出部７１内の個別の保持孔に収容された状態で、上半部をハウジング部４内に露出させている。６９，７０は保持孔内でアース端子６７およびアース端子７８にそれぞれ接続されて保持孔から導出されるリード線である。
【００２２】
主に図５を参照して、ベース部５２の上面であるベース面５２ａは、ハウジング部５４の周囲を取り囲むように環状をなしており、このベース面５２ａに形成された凹部５２ｂに沿う環状部分５９、一対の立ち上がり片６２およびタブ端子６４を含む金属シェル５８が配置されている。この金属シェル５８は、プラグ型電気コネクタ１側の金属シェル８と接触されるものである。
【００２３】
図７に示すように、金属シェル５８の環状部分５９は、上記ベース面５２ａがプラグ型電気コネクタ１のハウジング部４の装着側端面４ａと対向する部分よりも外方へ延びるようにベース面５２ａに沿って延設された延設部分６０を含んでいる。この延設部分６０には、ベース部２の貫通孔５３に見合う位置に貫通孔６１が形成されている。
【００２４】
図４、図５および図６（ａ），（ｂ）を参照して、環状部分５９の内周縁のうち、長手方向に対向する一対の縁部のそれぞれから立ち上がり片６２が立ち上げられている。各立ち上がり片６２は、ハウジング部５４の外壁５７に沿って立ち上げられており、この外壁５７に形成された保持溝６３に収容保持されている。各保持溝６３は、立ち上がり片６２が立ち上がる方向（対となる電気コネクタへの装着方向）に挿脱自在に立ち上がり片６２を収容している。各保持溝６３に保持された立ち上がり片６２は、図７に示すように両電気コネクタ１，５０が互いに連結されたときにプラグ型電気コネクタ１側の金属シェル８の接触ビーム１４によって接触され、これにより、両電気コネクタ１，５０の金属シェル８，５８同士の電気的導通が達成されるようになっている。
【００２５】
図８を参照して、保持溝６３の内奥部の幅ａは開口縁部間の幅ｂよりも狭くされている。また、立ち上がり片６２は、上半部を幅広部６２ａとし下半部を幅狭部６２ｂとしており、幅狭部６２ｂの幅ｃが保持溝６３の開口縁部間の幅ｂよりも狭く設定されており、また、幅広部６２ａの幅ｄは保持溝６３の内奥部の幅ａよりも狭くまた保持溝６３の開口縁部間の幅ｂよりも広くなるようにされている。
【００２６】
また、金属シェル５８の短手方向に対向する一対の縁部のうちの一方の中央部には、外部の雌端子６５に対して接続されるタブ端子６４が一体に折り曲げ形成されている。このタブ端子６４はベース部５２の突出部に形成されたタブ端子保持孔５１に挿入されて保持される。
上記のような金属シェル５８をベース部５２およびハウジング部５４側に組み付ける際には、図９に示すように、金属シェル５８の延設部分６０を押しながら、環状部分５９をハウジング部５４の周囲に嵌め込んでいくが、嵌め込む途中で、立ち上がり片６２の幅広部６２ａを保持溝６３内に導入すると共にタブ端子６４をタブ端子保持孔５１に導入し、さらに押し込んで、環状部分５９をベース面５２ａの凹部５２ｂに密着させることにより、組み付けが完了する。
【００２７】
次いで、図１０は本実施の形態のリセプタクル型電気コネクタ５０が、対となるプラグ型電気コネクタ１に組み合わされた状態を示している。同図を参照して、両電気コネクタ１，５０の組合せ状態では、プラグ型電気コネクタ１のハウジング４内に、リセプタクル型電気コネクタ５０のハウジング５４が挿入され、電気信号伝送用端子６，５６同士が接続されている。図示していないが、両電気コネクタ１，５０のアース端子２８，６７同士および電源端子２７，６８同士も接続されている。また、プラグ型電気コネクタ１のハウジング４の装着側端面４ａに対向する、リセプタクル型電気コネクタ５０のベース面５２ａに、金属シェル５８の環状部分５９が配置されている。
【００２８】
以上説明した本実施の形態によれば、プラグ型電気コネクタ１のハウジング部４の装着側端面４ａに対向する、リセプタクル型電気コネクタ５０のベース面５２ａに沿って、金属シェル５８の環状部分５９が配置されるので、プラグ型電気コネクタ１のハウジング４の装着側端面４ａとリセプタクル型電気コネクタ５０のベース面５２ａとの間の隙間部分を通して、汚染粒子としてのトナー粒子が侵入することを確実に防止することができる。
【００２９】
また、金属シェル５８を組み付けるために金属シェル５８の環状部分５９をハウジング部５４の周囲に嵌め込む動作を、金属シェル５８の延設部分６０を押しながら行うことにより、金属シェル５８を容易に組み付けることができる。
さらに、金属シェル５８を組み付けるために金属シェル５８の環状部分５９をハウジング部５４の周囲に嵌め込むと、この嵌め込み動作と同時に、金属シェル５８の立ち上がり片６２をハウジング部５４の外壁５７に沿う保持溝６３に収容することができる。したがって、金属シェル５８の組み付けが容易であり、その結果、組み付け時に立ち上がり片６２が変形したり破損したりすることを防止することができる。
【００３０】
また、本リセプタクル型電気コネクタ５０では、金属シェル５８がハウジング部５４の外壁５７に沿う部分としては、プラグ側電気コネクタ１の金属シェル８と接触する立ち上がり片６２のみであり、したがって構造を簡素化できる結果、製造コストを安価にできる。このように立ち上がり片６２のみとしても、プラグ側電気コネクタ１の金属シェル８がハウジング部４の外壁７の周面に沿う環状をなしているので、両電気コネクタ１，５０の連結状態において、十分なシールド効果を発揮できる。画像形成装置本体１１４内に浮遊するトナーが電気コネクタ１，５０に吸着することを防止できる。
【００３１】
また、アース端子６７、電源端子６８および電気信号伝送用端子５５を単一の電気コネクタ５０で一括して保持しシールドすることができるので、これらの端子を別々のコネクタで保持しシールドする場合と比較して、構造を格段に簡素化することができる。
なお、上記の実施の形態においては、リセプタクル型電気コネクタ５０の金属シェル５８がハウジング部５４の外壁５７に沿う部分を、立ち上がり片６２のみにより構成したが、これに限定されるものではなく、ハウジング部５４の外壁５７の周面に沿う環状の部分を含むものとしても良い。
【００３２】
また、上記の実施の形態においては延設部分６０を設けたが、これを廃止することもできる。
また、図１１に示すように、環状部分５９の外周縁部からベース部５２の外周面を覆うように垂下される延設部分７２，７３を設けても良く、この場合、ベース部５２の外周面にも金属シェル５８が配置されることになるので、ベース部５２の外周面に汚染粒子が降り積もらない結果、ベース面５２ａと上記装着側端面との間の隙間を通しての汚染粒子の侵入を一層確実に防止することができる。
【００３３】
さらに、本発明は画像形成装置に限らず、各種の電気機器の電気コネクタに用いることができる。その他、本発明の範囲で種々の変更を施すことができる。
【００３４】
【発明の効果】
請求項１記載の発明では、対となる電気コネクタのハウジング部の装着側端面に対向する部分を含むベース面に沿って、金属シェルの環状部分が配置されることになるので、ベース面と上記装着側端面との間の隙間を通しての汚染粒子の侵入を確実に防止することができる。また、金属シェルを組み付けるために金属シェルをハウジング部の周囲に嵌め込む動作を、金属シェルの環状部分を押しながら行うことにより、金属シェルを容易に組み付けることができる。
また、金属シェルを組み付けるために金属シェルの環状部分をハウジング部の周囲に嵌め込むと、この嵌め込み動作と同時に、金属シェルの立ち上がり片をハウジング部の外壁に沿う保持溝に収容することができる。したがって、金属シェルの組み付けが容易であり、その結果、組み付け時の立ち上がり片の変形や破損を防止することができる。
【００３５】
請求項２記載の発明では、ベース部の外周面にも金属シェルが配置されることになるので、ベース部の外周面に汚染粒子が降り積もらない結果、ベース面と上記装着側端面との間の隙間を通しての汚染粒子の侵入を一層確実に防止することができる。
【００３６】
請求項３記載の発明では、電源端子、アース端子および電気信号伝送用端子を単一の電気コネクタで一括して保持しシールドすることができるので、これらの端子を別々のコネクタで保持しシールドする場合と比較して、構造を格段に簡素化することができる。
請求項４記載の発明では、電気コネクタの静電防止が図られているので、画像形成装置内に浮遊するトナーが、電気コネクタに吸着することを防止することができる。
【図面の簡単な説明】
【図１】本発明の一実施の形態に係る電気コネクタが用いられる画像形成装置の内部構成を示す概略断面図である。
【図２】プラグ型電気コネクタの斜視図である。
【図３】（ａ）はプラグ型電気コネクタの平面図であり、（ｂ）はプラグ型電気コネクタの概略正面図である。
【図４】本発明の一実施の形態に係るリセプタクル型電気コネクタの斜視図である。
【図５】リセプタクル型電気コネクタの分解斜視図である。
【図６】（ａ）はリセプタクル型電気コネクタの平面図であり、（ｂ）はリセプタクル型電気コネクタの一部破断正面図である。
【図７】互いに連結されたリセプタクル型電気コネクタとプラグ型電気コネクタの要部の断面図であり、両電気コネクタの金属シェル同士が接触する部分を示している。
【図８】ハウジング部の外壁に金属シェルを保持する保持溝が設けられている部分を示すリセプタクル型電気コネクタの要部拡大図である。
【図９】金属シェルを取り付ける工程を示すリセプタクル型電気コネクタの斜視図である。
【図１０】互いに連結されたリセプタクル型電気コネクタとプラグ型電気コネクタの断面図である。
【図１１】本発明の他の実施の形態に係るリセプタクル型電気コネクタの分解斜視図である。
【符号の説明】
１    プラグ型電気コネクタ
２    ベース部
４    ハウジング部
４ａ  装着側端面
７    外壁
７ａ  外周面
８    金属シェル
２７  電源端子
２８  アース端子
５０  リセプタクル型電気コネクタ
５２  ベース部
５２ａ  ベース面
５４  ハウジング部
５７  外壁
５８  金属シェル
５９  環状部分
６２  立ち上がり片
６３  保持溝
６７  アース端子
６８  電源端子
７２，７３  延設部分
１００  画像形成装置
１０５  現像装置
１１３  プロセスカートリッジ
１１４  画像形成装置本体
１１５  装着部
Ｔ    トナー
【図１】
0004028038.tif 000002
【図２】
0004028038.tif 000003
【図３】
0004028038.tif 000004
【図４】
0004028038.tif 000005
【図５】
0004028038.tif 000006
【図６】
0004028038.tif 000007
【図７】
0004028038.tif 000008
【図８】
0004028038.tif 000009
【図９】
0004028038.tif 000010
【図１０】
0004028038.tif 000011
【図１１】
0004028038.tif 000012